(57)【要約】      （修正有）【課題】面白みや斬新さのある新規な見栄えを実現し得る表示装置を提供する。【解決手段】表示部と表示部を除いた背景部とを有する表示手段９１を備え、光源９２からの照明光を導光部材９３を介して表示手段９１に導くとともに、導光部材９３が、表示手段９１の背後に配置される本体部９４と、光源９２と対向するように本体部９４に一体形成された受光部９５とを備えている表示装置において、本体部９４の背面には、受光部９５から遠ざかるに従って表示手段９１に近接する曲面部９６が設けられ、照明光が導光部材９３を介して表示手段９１へと導かれることによって、背景部がグラデーションとして視認される。【選択図】図２
2015059877.tif 000002
【特許請求の範囲】
【請求項１】
表示部と前記表示部を除いた背景部とを有する表示手段を備え、
光源からの照明光を導光部材を介して前記表示手段に導くとともに、
前記導光部材が、前記表示手段の背後に配置される本体部と、前記光源と対向するように前記本体部に一体形成された受光部とを備えている表示装置において、
前記本体部の背面には、前記受光部から遠ざかるに従って前記表示手段に近接する曲面部が設けられ、
前記照明光が前記導光部材を介して前記表示手段へと導かれることによって、前記背景部がグラデーションとして視認されることを特徴とする表示装置。
【請求項２】
表示部を有する表示手段を備え、
光源からの照明光を導光部材を介して前記表示手段に導くとともに、
前記導光部材が、前記表示手段の背後に配置される本体部と、前記光源と対向するように前記本体部に一体形成された受光部とを備えている表示装置において、
前記本体部の背面には、前記受光部から遠ざかるに従って前記表示手段に近接する曲面部が設けられ、
前記照明光が前記導光部材を介して前記表示手段へと導かれることによって、前記表示部がグラデーションとして視認されることを特徴とする表示装置。
【請求項３】
前記グラデーションは、前記受光部側に位置する前記背景部箇所から遠ざかるに従って、その明るさが次第に明るくなっていることを特徴とする請求項１記載の表示装置。
【請求項４】
前記グラデーションは、前記受光部側に位置する前記表示部箇所から遠ざかるに従って、その明るさが次第に明るくなっていることを特徴とする請求項２記載の表示装置。
【請求項５】
前記表示部は、前記表示手段としての指標板の母材となる透光性基板に形成された指標部からなり、
前記背景部は、前記表示部の背景を形成するように前記透光性基板に形成された光透過性の着色部からなることを特徴とする請求項１または請求項３記載の表示装置。
【請求項６】
前記表示手段は、一対の透明基板間に液晶が封入された液晶表示パネルからなり、
前記グラデーションが、前記背景部に対応する前記液晶表示パネル箇所に設けられていることを特徴とする請求項１または請求項３記載の表示装置。
【請求項７】
前記表示手段は、一対の透明基板間に液晶が封入された液晶表示パネルからなり、
前記グラデーションが、前記表示部に対応する前記液晶表示パネル箇所に設けられていることを特徴とする請求項２または請求項４記載の表示装置。
【発明の詳細な説明】
【技術分野】
【０００１】
本発明は、例えば所定情報を表示する表示部を有する表示手段を有し、光源からの照明光を導光部材を介して表示手段に導く構成とした表示装置に関するものである。
【背景技術】
【０００２】
従来より、この種の表示装置にあっては、例えば下記特許文献１に記載されているものが知られている。この特許文献１に記載の表示装置は、車両の走行距離情報（所定情報）を表示する複数の日の字セグメントからなる表示部と当該表示部を除いた背景部とを有する液晶表示パネル（表示手段）を備え、緑色ＬＥＤ（光源）からの照明光を導光部材を介して液晶表示パネルに導くとともに、導光部材が、液晶表示パネルの背後に沿うように配置される平板状の本体部と、緑色ＬＥＤと対向するように本体部に一体形成された垂れ下がり形状の受光部とを備えているものである。
【０００３】
また、液晶表示パネルは、一対の透明基板間に液晶を封入したものであり、一対の透明基板の前後には偏光板がそれぞれ設けられ、個々の透明基板の内側には、互いに対向するように透明電極がそれぞれ設けられている。そして、これら透明電極に対応する液晶表示パネルの表示面箇所が前記表示部となり、当該表示面を除いた箇所が前記背景部となる。
【先行技術文献】
【特許文献】
【０００４】
【特許文献１】特開２０１２−７３０５７号
【発明の概要】
【発明が解決しようとする課題】
【０００５】
ところで、特許文献１に記載の表示装置では、視認者側から液晶表示パネルを正視したときに、緑色ＬＥＤからの照明光によって、表示部がバックライト照明される（つまり表示部の背景となる背景部が緑色に発光する）ことになるが、液晶表示パネルの背面に沿うように設けられる導光部材の本体部は、その板厚が一定の平板状に形成されていることから、緑色に発光する背景部の見栄えが単調で画一的なものであり、面白みに欠けるものであった。
そこで本発明は、前述の課題に対して対処するため、面白みや斬新さのある新規な見栄えを実現し得る表示装置の提供を目的とするものである。
【課題を解決するための手段】
【０００６】
本発明は、表示部と前記表示部を除いた背景部とを有する表示手段を備え、光源からの照明光を導光部材を介して前記表示手段に導くとともに、前記導光部材が、前記表示手段の背後に配置される本体部と、前記光源と対向するように前記本体部に一体形成された受光部とを備えている表示装置において、前記本体部の背面には、前記受光部から遠ざかるに従って前記表示手段に近接する曲面部が設けられ、前記照明光が前記導光部材を介して前記表示手段へと導かれることによって、前記背景部がグラデーションとして視認されることを特徴とする。
【０００７】
また本発明は、表示部を有する表示手段を備え、光源からの照明光を導光部材を介して前記表示手段に導くとともに、前記導光部材が、前記表示手段の背後に配置される本体部と、前記光源と対向するように前記本体部に一体形成された受光部とを備えている表示装置において、前記本体部の背面には、前記受光部から遠ざかるに従って前記表示手段に近接する曲面部が設けられ、前記照明光が前記導光部材を介して前記表示手段へと導かれることによって、前記表示部がグラデーションとして視認されることを特徴とする。
【０００８】
また本発明は、前記グラデーションは、前記受光部側に位置する前記背景部箇所から遠ざかるに従って、その明るさが次第に明るくなっていることを特徴とする。
【０００９】
また本発明は、前記グラデーションは、前記受光部側に位置する前記表示部箇所から遠ざかるに従って、その明るさが次第に明るくなっていることを特徴とする。
【００１０】
また本発明は、前記表示部は、前記表示手段としての指標板の母材となる透光性基板に形成された指標部からなり、前記背景部は、前記表示部の背景を形成するように前記透光性基板に形成された光透過性の着色部からなることを特徴とする。
【００１１】
また本発明は、前記表示手段は、一対の透明基板間に液晶が封入された液晶表示パネルからなり、前記グラデーションが、前記背景部に対応する前記液晶表示パネル箇所に設けられていることを特徴とする。
【００１２】
また本発明は、前記表示手段は、一対の透明基板間に液晶が封入された液晶表示パネルからなり、前記グラデーションが、前記表示部に対応する前記液晶表示パネル箇所に設けられていることを特徴とする。
【発明の効果】
【００１３】
本発明によれば、初期の目的を達成でき、面白みや斬新さのある新規な見栄えを実現し得る表示装置を提供できる。
【図面の簡単な説明】
【００１４】
【図１】本発明の第１実施形態による表示装置の正面図。
【図２】図１のＡ−Ａ断面図。
【図３】同第１実施形態による光源が点灯したときの表示手段の正面図。
【図４】同第１実施形態の変形例による光源が点灯したときの表示手段の正面図。
【図５】本発明の第２実施形態による光源が点灯したときの表示装置の正面図。
【図６】同第２実施形態による表示装置の要部断面図。
【発明を実施するための形態】
【００１５】
（第１実施形態）以下、図１〜図３に基づいて、本発明を車両に搭載された速度計に適用した一実施形態を説明する。
【００１６】
図１、図２において、本実施形態による表示装置としての速度計は、回路基板１０と、この回路基板１０に導通装着され回転軸２０が前方に延びる駆動装置３０と、回転軸２０にて回転駆動される指針４０と、この指針４０と回路基板１０との間に配置され、回転軸２０に対応する孔部５１を有する指標板５０と、指針４０を照明する指針用光源６０と、指標板５０を照明する指標用光源７０と、回路基板１０と指標板５０との間に位置するケース体８０と、指標板５０の背後側であってケース体８０内部における所定箇所（空所）に配置される表示ユニット９０とを備えている。
【００１７】
回路基板１０は、例えばガラスエポキシ系基材に配線パターン（図示せず）を施した硬質回路基板からなり、表示ユニット９０に備えられる後述する表示手段の表示制御を行う駆動回路（図示せず）と、表示ユニット９０に備えられる後述する光源の発光制御を行う光源駆動回路（図示せず）と、駆動装置３０の駆動・制御を行う駆動手段（図示せず）と、指針用光源６０と、指標用光源７０と、抵抗、コンデンサ等の各種回路部品（図示せず）とが前記配線パターンに導通接続されている。
【００１８】
駆動装置３０は、可動磁石式計器またはステッピングモータからなり、回転軸２０が回路基板１０を貫通するように、その主要部が回路基板１０の背後に装着され、且つ半田付け等の適宜導通手段により前記配線パターン（前記駆動手段）に電気接続される。
【００１９】
指針４０は、透光性の合成樹脂からなり、回転軸２０の先端に連結され、その回転中心部には遮光性カバー４１が装着されている。そして、この指針４０は指針用光源６０からの光を受けて発光する発光式指針である。
【００２０】
指標板５０は、指針４０の回転軌道（作動範囲）に沿った円弧状の配列形状を有し、指針４０によって指示される目盛、数字等からなる指標部５２と、この指標部５２の背景を形成する地色部５３とを有している。
【００２１】
これら指標部５２、地色部５３は、指標板５０の母材となる薄板状の透光性基板（図示せず）の表面または背面に形成された印刷層からなり、例えば指標部５２は黒色系の遮光性インクにより形成され、地色部５３は光透過性を有する白色系の透光性インクにより形成されている。なお、これら指標部５２、地色部５３の各印刷層はスクリーン印刷等の手段を用いて印刷形成されている。
【００２２】
また、５４は、前記表示手段が臨む略矩形状の開口窓部であり、この開口窓部５４は、指針４０における前記回転中心部の下方に設けられる。なお、本例では、指標板５０に開口窓部５４を設けたが、例えば開口窓部５４を設けずに前記表示手段に対応する指標板５０（前記透光性基板）箇所が、地色部５３が印刷形成されない抜き印刷部として形成されていてもよい。
【００２３】
指針用光源６０は、例えば赤色光を発するチップ型発光ダイオードからなり、指針４０の前記回転中心部（つまり指標板５０の孔部５１）に対応する回路基板１０上に複数個配置されている。
【００２４】
指標用光源７０は、例えば緑色光を発するチップ型発光ダイオードからなり、指標板５０の背後側となる回路基板１０上に複数個配置され、地色部５３を緑色に発光させる発光体である。
【００２５】
ケース体８０は、例えば白色の合成樹脂からなり、回転軸２０を取り巻くように回路基板１０と指標板５０との間に位置し、指標板５０における孔部５１の周縁を保持する筒状部８１を備えている。この筒状部８１は、孔部５１に対応する空間部８２を有し、この空間部８２は、指針用光源６０からの光を指針４０側に導くための照明室としての機能を有している。
【００２６】
表示ユニット９０は、指標板５０における開口窓部５４に臨むように配置される表示手段９１と、この表示手段９１の背後に位置する回路基板１０上に実装（配設）される光源９２と、この光源９２から表示手段９１に至る照明経路中に配置される導光部材９３とを備え、光源９２からの照明光は導光部材９３を介して表示手段９１へと導かれる構成となっている。
【００２７】
表示手段９１は、例えば一対の透明基板間に液晶が封入された略矩形状の液晶表示パネルからなり、所定情報を表示する表示部９１ａと、この表示部９１ａを除いた背景部９１ｂとを有し、ここでの表示部９１ａの色調は光源９２の点灯・消灯に関係なく黒色とし、（光源９２の消灯時の）背景部９１の色調は白色とする。
【００２８】
なお、表示部９１ａに表示される前記所定情報としては、車両の走行距離や燃料消費、外気温等を適用することができ、前記所定情報は、図示しない各種センサからの検出信号（電気信号）に基づいて、例えば複数個の日の字セグメントによって表示される。
【００２９】
光源９２は、適宜色（例えば緑色）の照明光を発するチップ型発光ダイオードからなり、導光部材９３の後述する受光部と対向するように回路基板１０上に実装されている。なお、光源９２の個数は、前記受光部の下端面の形状（面積）に対応させて必要な個数だけ設ければよい。
【００３０】
導光部材９３は、透光性合成樹脂材料にて形成され、表示手段９１の背後に沿うように配置される略平板状の本体部９４と、光源９２と対向するように本体部９４に一体形成された受光部９５とを備え、受光部９５は、本体部９４の一側壁部から光源９２の発光面に向けて垂下するように折り曲げられた構成となっている。
【００３１】
そして、この場合、表示手段９１側となる本体部９４の表面は平坦面となっており、一方、回路基板１０側となる本体部９４の背面には曲面部９６が設けられている。この曲面部９６は、受光部９５の形成位置から遠ざかるに従って表示手段９１に近接するような曲面形状を有している。つまり、このことは、回路基板１０（または指標板５０）の板面方向とは直交する方向となる本体部９４の厚さ寸法は、受光部９５から遠ざかるに従って次第に小さくなっていることを意味している。
【００３２】
なお、図２中、９７は本体部９４の表面と受光部９５の側壁との境界部分に形成された反射部であり、この反射部９７は、受光部９５内に採り入れられた照明光を本体部９４側に反射導光させるものである。
【００３３】
ここで、表示ユニット９０に備えられた光源９２が点灯すると、この光源９２から発せられる照明光（緑色光）は、導光部材９３を介して表示手段９１へと導かれることになる。具体的には、当該照明光は、光源９２の真上に位置する受光部９５内に採り入れられて、その後、反射部９７によって本体部９４側に反射導光される。そして、本体部９４側に反射導光された照明光は、本体部９４の背面に設けられた曲面部９６によって平坦面である本体部９４の表面へと導かれ、当該本体部９４の表面から出射し、表示手段９１をバックライト照明する。
【００３４】
この際、受光部９５の形成位置から遠ざかるに従って表示手段９１に近接するような曲面形状からなる曲面部９６が本体部９４の背面に設けられていることで、本体部９４の厚さが受光部９５から遠ざかるに従い次第に薄くなっていることに起因して、視認者側から速度計（表示ユニット９０）を正視したとき、表示部９１ａの背景を形成するように表示手段９１に備えられる背景部９１ｂは、図３中、下方側が暗く、当該下方側から図３中、上方側（つまり遮光性カバー４１側）に向かうに従って、その明るさが次第に（徐々に）明るくなるように設定された緑色のグラデーション９８として視認される。
【００３５】
また、本例の場合、グラデーション９８は、背景部９１ａに対応する表示手段９１箇所に設けられ、受光部９５側に位置する背景部９１ｂ箇所から遠ざかるに従って（つまり遮光性カバー４１側に位置する背景部９１ｂ箇所に向かうに従って）、その明るさが次第に明るくなっているように形成されるものである。
【００３６】
以上のように、本実施形態では表示部９１ａと表示部９１ａを除いた背景部９１ｂとを有する表示手段９１を備え、光源９２からの照明光を導光部材９３を介して表示手段９１に導くとともに、導光部材９３が、表示手段９１の背後に配置される本体部９４と、光源９２と対向するように本体部９４に一体形成された受光部９５とを備えている速度計において、本体部９４の背面には、受光部９５から遠ざかるに従って表示手段９１に近接する曲面部９６が設けられ、照明光が導光部材９３を介して表示手段９１へと導かれることによって、背景部９１ｂがグラデーション９８として視認されるものである。また、このグラデーション９８は、背景部９１ａに対応する表示手段９１箇所に設けられ、受光部９５側に位置する背景部９１ｂ箇所から遠ざかるに従って（つまり遮光性カバー４１側に位置する背景部９１ｂ箇所に向かうに従って）、その明るさが次第に明るくなっているものである。
【００３７】
従って、光源９２の点灯時において、背景部９１ｂの見え方に変化を与え、面白みや斬新さのある新規な見栄えを実現し得る速度計（表示装置）を提供することができる。また、昼間のように光源９２の消灯時には表示手段９１の背景色が背景部９１ｂ自体の色調である白色となるのに対し、光源９２が点灯する夜間にあっては当該背景色が白色から緑色のグラデーション９８へと変化することから、昼間と夜間とで背景部９１ｂの色調が変化し、面白みのある見栄えを実現することが可能となる。
【００３８】
また本実施形態では、表示手段９１に備えられる背景部９１ｂに緑色のグラデーション９８が形成される例について説明したが、例えば本実施形態の変形例として図４に示すように光源９２が点灯した際の照明光が導光部材９３を介して表示手段９１へと導かれることによって、背景部９１ｂではなく表示部９１ａがグラデーション９８として視認されるようにしてもよい。
【００３９】
つまり、この場合、例えば背景部９１の色調は灰色や黒色となり、複数個の日の字セグメントからなる表示部９１ａが照明光（緑色光）を透過可能に構成され、グラデーション９８は、表示部９１ａに対応する前記液晶表示パネル（表示手段９１）箇所に設けられ、受光部９５側に位置する表示部９１ａ箇所から遠ざかるに従って、その明るさが次第に明るくなっているように形成されることになる。
【００４０】
（第２実施形態）次に、本発明の第２実施形態を図５、図６に基づいて説明するが、前述の第１実施形態と同一もしくは相当個所には同一の符号を用いてその詳細な説明は省略する。この第２実施形態が前記第１実施形態と異なる点は、導光部材９３が、光源としての指標用光源７０から、表示手段としての指標板５０に至る照明経路中に配置され、緑色のグラデーションが指標板５０の地色部５３の所要部に形成された構成となっている。
【００４１】
この第２実施形態における指標板５０は、表示部である前述した指標部５２と、地色部５３とを有し、この地色部５３が、図５に示すように指標部５２を取り巻くように形成された略馬蹄形状からなる光透過性の着色部（背景部）５３ａと、この着色部５３ａの領域を除いたエリアに設けられた黒色の下地部５３ｂとを備えている。そして、指標部５２は、前記透光性基板の表面（または背面）に印刷形成され、着色部５３ａは、指標部５２の背景を形成するように前記透光性基板の表面（または背面）に白色系の透光性インクを用いて印刷形成されている。
【００４２】
また、指標用光源７０は、ここでの詳細図示は省略するが、視認者側から速度計を正視した状態において、図５中、遮光性カバー４１（前記第１実施形態にて採用したケース体８０の筒状部８１）の周囲に対応する回路基板１０上に複数個実装され、指標用光源７０からの照明光（緑色光）を導光部材９３を介して指標板５０に導く構成となっている。
【００４３】
この第２実施形態における導光部材９３は、着色部５３ａの形成位置に対応するように設けられた略馬蹄形状の本体部９４と、指標用光源７０と対向するように本体部９４に一体形成された受光部９５とを有し、指標板５０の背後に沿うように配置される本体部９４の背面には、受光部９５から遠ざかるに従って指標板５０に近接する曲面部９６が設けられ、指標用光源７０が点灯した際に照明光が導光部材９３を介して指標板５０へと導かれることによって、背景部である着色部５３ａが前記第１実施形態と同様に緑色のグラデーションとして視認されることになる。
【００４４】
そして、指標用光源７０の点灯時に着色部５３ａに表示されるグラデーションは、着色部５３ａに対応する指標板５０箇所に設けられ、受光部９５側に位置する着色部５３ａ箇所から遠ざかるに従って（つまり受光部９５側に位置する着色部５３ａ箇所から指標部５２に向かうに従って）、その明るさが次第に明るくなっているように形成されるものである。なお、図６では、着色部５３ａにおいて、一点鎖線で囲まれた部分のみグラデーションを表示してあるが、着色部５３ａ全体にグラデーションが形成されていることは言うまでもない。
【００４５】
従って、指標用光源７０の点灯時において、着色部５３ａの見え方に変化を与え、面白みや斬新さのある新規な見栄えを実現し得る速度計（表示装置）を提供することができる。また、昼間のように指標用光源７０の消灯時には着色部５３ａの色調が白色であるのに対し、指標用光源７０が点灯する夜間にあっては着色部５３ａの色調が白色から緑色のグラデーションへと変化することから、昼間と夜間とで着色部５３ａの色調が変化し、面白みのある見栄えを実現することが可能となる。
【符号の説明】
【００４６】
５０    指標板
５２    指標部（表示部）
５３    地色部
５３ａ  着色部（背景部）
５３ｂ  下地部
５４    開口窓部
７０    指標用光源（光源）
９０    表示ユニット
９１    表示手段
９１ａ  表示部
９１ｂ  背景部
９２    光源
９３    導光部材
９４    本体部
９５    受光部
９６    背面
９８    グラデーション
【図１】
2015059877.tif 000003
【図２】
2015059877.tif 000004
【図６】
2015059877.tif 000005
【図３】
2015059877.tif 000006
【図４】
2015059877.tif 000007
【図５】
2015059877.tif 000008